(57)【要約】【課題】撮影オーダ情報の入力ミスを十分抑制できるようにする。【解決手段】撮影オーダ情報を取得する際、制御装置６は通常撮影用の撮影オーダ情報をダウンロード或いは新規入力するための画面とポータブル撮影用の撮影オーダ情報をダウンロード或いは新規入力するための画面とを表示部６３の表示画面に表示する。制御装置６は撮影オーダ情報の新規入力の場合に患者情報及び撮影条件などを入力するための画面は通常撮影の場合とポータブル撮影の場合とで略同じ画面を表示部６３の表示画面に表示する。特に、ポータブル撮影では行えない撮影条件に対しては通常撮影の場合とは異なる表示方法が用いられている。制御装置６は通常撮影とポータブル撮影の何れの場合にも患者一人に対し撮影オーダ情報の新規入力が終了するたびこの旨を撮影技師に確認させるための共通の画面を表示部６３の表示画面に表示する。【選択図】          図１
2004298267.tif 000002
【特許請求の範囲】
【請求項１】
患者の所定部位を放射線撮影室で医用撮影する撮影室用撮影装置と、
患者の所定部位を該患者のベットサイドで医用撮影する移動自在なポータブル撮影装置と、
入力する情報に応じた入力画面を表示し、該入力画面を介して情報の入力を行う制御装置と、を備え、
前記制御装置は、
前記医用撮影を行うための撮影オーダ情報を入力する際には、該撮影オーダ情報が、前記撮影室用撮影装置を用いて行われる医用撮影或いは前記ポータブル撮影装置を用いて行われる医用撮影のうち何れの医用撮影に係る撮影オーダ情報であるかの選択入力を行う入力画面を表示し、該選択入力された内容に応じて各々異なる表示内容を有する撮影オーダ情報の入力画面を表示し、該撮影オーダ情報の入力が終了した場合には当該撮影オーダ情報が前記撮影室用撮影装置或いはポータブル撮影装置のうち何れを用いて行われる医用撮影であるかによらずに撮影オーダ情報の入力が完了した旨の確認入力を行う入力画面を表示することを特徴とする医用画像撮影システム。
【請求項２】
前記撮影オーダ情報の入力画面は、患者の撮影条件を含む撮影オーダ情報を入力するための入力画面であることを特徴とする請求項１に記載の医用画像撮影システム。
【請求項３】
前記制御装置は、
前記選択入力された内容が前記ポータブル撮影装置に係る場合、前記撮影室用撮影装置に係る内容が選択入力された際に表示される撮影条件の入力画面に対し前記ポータブル撮影装置を用いる際には適用されない旨を表示する画面を、撮影オーダ情報の入力画面として表示することを特徴とする請求項２に記載の医用画像撮影システム。
【請求項４】
前記選択入力された内容が前記ポータブル撮影装置に係る場合、前記撮影室用撮影装置に係る内容が選択入力された際に表示される撮影条件の入力画面に対し前記ポータブル撮影装置を用いる際には適用されない撮影条件を網掛け表示した画面を、撮影オーダ情報の入力画面として表示することを特徴とする請求項３に記載の医用画像撮影システム。
【請求項５】
患者の所定部位を放射線撮影室で医用撮影する撮影室用撮影装置と、患者の所定部位を該患者のベットサイドで医用撮影する移動自在なポータブル撮影装置と、入力する情報に応じた入力画面を表示し、該入力画面を介して情報の入力を行う制御装置とを備えた医用画像撮影システムを用いた医用画像管理方法において、
前記医用撮影を行うための撮影オーダ情報を入力する際には、該撮影オーダ情報が、前記撮影室用撮影装置を用いて行われる医用撮影或いは前記ポータブル撮影装置を用いて行われる医用撮影のうち何れの医用撮影に係る撮影オーダ情報であるかの選択入力を行う入力画面を表示するステップと、
前記選択入力された内容に応じて各々異なる表示内容を有する撮影オーダ情報の入力画面を表示するステップと、
前記撮影オーダ情報の入力が終了した場合には当該撮影オーダ情報が前記撮影室用撮影装置或いはポータブル撮影装置のうち何れを用いて行われる医用撮影であるかによらずに撮影オーダ情報の入力が完了した旨の確認入力を行う入力画面を表示するステップと、を含むことを特徴とする医用画像管理方法。
【請求項６】
前記撮影オーダ情報の入力画面は、患者の撮影条件を含む撮影オーダ情報を入力するための入力画面であることを特徴とする請求項５に記載の医用画像管理方法。
【請求項７】
前記選択入力された内容が前記ポータブル撮影装置に係る場合、前記撮影室用撮影装置に係る内容が選択入力された際に表示される撮影条件の入力画面に対し前記ポータブル撮影装置を用いる際には適用されない旨を表示する画面を、撮影オーダ情報の入力画面として表示することを特徴とする請求項６に記載の医用画像管理方法。
【請求項８】
前記選択入力された内容が前記ポータブル撮影装置に係る場合、前記撮影室用撮影装置に係る内容が選択入力された際に表示される撮影条件の入力画面に対し前記ポータブル撮影装置を用いる際には適用されない撮影条件を網掛け表示した画面を、撮影オーダ情報の入力画面として表示することを特徴とする請求項７に記載の医用画像管理方法。
【発明の詳細な説明】
【０００１】
【発明の属する技術分野】
本発明は、放射線画像などの医用画像の撮影を行う医用画像撮影システムと、この医用画像撮影システムを用いた医用画像管理方法に関する。
【０００２】
【従来の技術】
近時、医用画像として広く用いられている放射線画像をデジタル画像データとして取得するＣＲ（Ｃｏｍｐｕｔｅｄ  Ｒａｄｉｏｇｒａｐｈｙ）装置などの放射線撮影装置を有する医用画像撮影システムが開発されている。
【０００３】
上記放射線撮影装置には、例えば、輝尽性蛍光体層が形成された放射線画像変換パネル（以下、イメージングプレートという。）が用いられている。このイメージングプレートは、被写体各部の放射線透過度に対応する放射線エネルギーを蓄積し、赤外線等の励起光が照射されることにより当該蓄積した放射線エネルギーを蛍光として放射する。この蛍光による光信号は半導体等の光電変換器により放射線画像信号に光電変換される。このようにして得られた放射線画像は画像処理が施された後にフィルムあるいは表示装置などを介して可視化されたり、データベースに患者情報とともに保存されるなどして種々の医療行為に利用される。
【０００４】
撮影技師は、病院施設内や放射線科内の診察情報を管理するＨＩＳ（Ｈｏｓｐｉｔａｌ  Ｉｎｆｏｒｍａｔｉｏｎ  Ｓｙｓｔｅｍ；病院情報システム）やＲＩＳ（Ｒａｄｉｏｒｏｇｙ  Ｉｎｆｏｒｍａｔｉｏｎ  Ｓｙｓｔｅｍ；放射線科情報システム）による撮影オーダ情報に基づき、病院施設内の放射線撮影室に予め設置された上記放射線撮影装置（以下、撮影室用撮影装置という。）を用いてＸ線撮影を行う。
ここで、撮影オーダ情報の内容は、例えば、患者氏名、患者ＩＤ情報、性別、年齢、病室、依頼科、依頼医師名、撮影部位などである。
【０００５】
特に最近、患者が収容されている病室内のベットサイドで放射線（Ｘ線）撮影が行える移動型の放射線撮影装置（以下、ポータブル撮影装置という。）が実現されている（例えば、特許文献１参照。）。このポータブル撮影装置を用いれば、重症により歩行（移動）困難で放射線撮影室まで移動できない患者に対してもＸ線撮影が容易に行える。さらに、病棟の各フロアの所定個所あるいはナースステーションなどにイメージングプレートから放射線画像を読み取るための医用画像読取装置が設置されている場合、撮影技師はフロアを移動することなく撮影結果を容易に確認できる。
【０００６】
ここで、上記イメージングプレートはカセッテと称する専用ケースに格納され、カセッテ及び／又はイメージングプレートには、各々固有の識別番号が記されている。この識別番号によりカセッテ及び／又はイメージングプレートが識別可能となる。
【０００７】
【特許文献１】
特開２０００―１０７１６０号公報
【０００８】
【発明が解決しようとする課題】
ところで、上記したような従来技術には次のような問題点がある。放射線撮影室に固定的に設置された撮影室用撮影装置を用いて行う撮影（以下、通常撮影という。）とポータブル撮影装置を用いて行う撮影（以下、ポータブル撮影という。）との何れの場合の撮影オーダ情報であっても同一の撮影技師によりまとめて入力されるような場合がある。このような場合、現在どの内容を入力しているのかが、通常撮影とポータブル撮影とで異なっているため、撮影技師にとってわかりにくいとういう問題点がある。患者の数が多ければ多いほど、撮影オーダ情報の入力はさらに複雑となり、入力ミスなど不測の事態を招く恐れがある。
【０００９】
本発明の課題は、放射線画像などの医用画像の撮影を行う医用画像撮影システムと該医用画像撮影システムを用いた医用画像管理方法において撮影オーダ情報の入力ミスを十分抑制できるようにすることである。
【００１０】
【課題を解決するための手段】
上記課題を解決するため、請求項１記載の発明は、
患者の所定部位を放射線撮影室で医用撮影する撮影室用撮影装置と、
患者の所定部位を該患者のベットサイドで医用撮影する移動自在なポータブル撮影装置と、
入力する情報に応じた入力画面を表示し、該入力画面を介して情報の入力を行う制御装置と、を備え、
前記制御装置は、
前記医用撮影を行うための撮影オーダ情報を入力する際には、該撮影オーダ情報が、前記撮影室用撮影装置を用いて行われる医用撮影或いは前記ポータブル撮影装置を用いて行われる医用撮影のうち何れの医用撮影に係る撮影オーダ情報であるかの選択入力を行う入力画面を表示し、該選択入力された内容に応じて各々異なる表示内容を有する撮影オーダ情報の入力画面を表示し、該撮影オーダ情報の入力が終了した場合には当該撮影オーダ情報が前記撮影室用撮影装置或いはポータブル撮影装置のうち何れを用いて行われる医用撮影であるかによらずに撮影オーダ情報の入力が完了した旨の確認入力を行う入力画面を表示することを特徴とする。
【００１１】
さらに、請求項２に記載の発明のように、請求項１に記載の発明において、
前記撮影オーダ情報の入力画面は、患者の撮影条件を含む撮影オーダ情報を入力するための入力画面であるのが好ましい。
【００１２】
さらに、請求項３に記載の発明のように、請求項２に記載の発明において、
前記制御装置は、
前記選択入力された内容が前記ポータブル撮影装置に係る場合、前記撮影室用撮影装置に係る内容が選択入力された際に表示される撮影条件の入力画面に対し前記ポータブル撮影装置を用いる際には適用されない旨を表示する画面を、撮影オーダ情報の入力画面として表示するのが好ましい。
【００１３】
さらに、請求項４に記載の発明のように、請求項３に記載の発明において、
前記選択入力された内容が前記ポータブル撮影装置に係る場合、前記撮影室用撮影装置に係る内容が選択入力された際に表示される撮影条件の入力画面に対し前記ポータブル撮影装置を用いる際には適用されない撮影条件を網掛け表示した画面を、撮影オーダ情報の入力画面として表示するのが好ましい。
【００１４】
また、上記課題を解決するため、請求項５に記載の発明は、
患者の所定部位を放射線撮影室で医用撮影する撮影室用撮影装置と、患者の所定部位を該患者のベットサイドで医用撮影する移動自在なポータブル撮影装置と、入力する情報に応じた入力画面を表示し、該入力画面を介して情報の入力を行う制御装置とを備えた医用画像撮影システムを用いた医用画像管理方法において、
前記医用撮影を行うための撮影オーダ情報を入力する際には、該撮影オーダ情報が、前記撮影室用撮影装置を用いて行われる医用撮影或いは前記ポータブル撮影装置を用いて行われる医用撮影のうち何れの医用撮影に係る撮影オーダ情報であるかの選択入力を行う入力画面を表示するステップと、
前記選択入力された内容に応じて各々異なる表示内容を有する撮影オーダ情報の入力画面を表示するステップと、
前記撮影オーダ情報の入力が終了した場合には当該撮影オーダ情報が前記撮影室用撮影装置或いはポータブル撮影装置のうち何れを用いて行われる医用撮影であるかによらずに撮影オーダ情報の入力が完了した旨の確認入力を行う入力画面を表示するステップと、を含むことを特徴とする。
【００１５】
さらに、請求項６に記載の発明のように、請求項５に記載の発明において、
前記撮影オーダ情報の入力画面は、患者の撮影条件を含む撮影オーダ情報を入力するための入力画面であるのが好ましい。
【００１６】
さらに、請求項７に記載の発明のように、請求項６に記載の発明において、
前記選択入力された内容が前記ポータブル撮影装置に係る場合、前記撮影室用撮影装置に係る内容が選択入力された際に表示される撮影条件の入力画面に対し前記ポータブル撮影装置を用いる際には適用されない旨を表示する画面を、撮影オーダ情報の入力画面として表示するのが好ましい。
【００１７】
さらに、請求項８に記載の発明のように、請求項７に記載の発明において、
前記選択入力された内容が前記ポータブル撮影装置に係る場合、前記撮影室用撮影装置に係る内容が選択入力された際に表示される撮影条件の入力画面に対し前記ポータブル撮影装置を用いる際には適用されない撮影条件を網掛け表示した画面を、撮影オーダ情報の入力画面として表示するのが好ましい。
【００１８】
したがって、撮影オーダ情報を入力する際、放射線撮影室に固定的に設置された撮影室用撮影装置を用いて行う通常撮影とポータブル撮影装置を用いて行うポータブル撮影との何れの場合にも、略同一の入力操作により撮影オーダ情報の入力が可能となる。このため、同一の撮影技師により通常撮影とポータブル撮影とがまとめて入力されるような場合や患者の数が多く撮影オーダ情報の入力が非常に複雑な場合であっても、現在どの内容を入力しているのかが撮影技師にとってわかり易く、入力ミスなど不測の事態が十分回避可能となる。
【００１９】
【発明の実施の形態】
以下、図面を参照して本発明を適用した一実施の形態について詳細に説明する。
【００２０】
まず、図１を参照して医用画像撮影システム１００の概略構成を説明する。図１は、医用画像撮影システム１００の概略構成を示すブロック図である。
【００２１】
図１に示すように、医用画像撮影システム１００は病院施設内に設けられ、情報管理装置１、予約装置２、医用画像読取装置３、携帯端末４、通信端末４ａ、ポータブル撮影装置５、制御装置６などを備える。
【００２２】
また、情報管理装置１、予約装置２、医用画像読取装置３、制御装置６は、病院施設内に構築されたＬＡＮ（Ｌｏｃａｌ  Ｅｒｅａ  Ｎｅｔｗｏｒｋ）やＷＡＮ（Ｗｉｄｅ  Ｅｒｅａ  Ｎｅｔｗｏｒｋ）などのネットワークＮを介してデータの送受信が相互に可能となっている。
【００２３】
また、一台の制御装置６に対し、携帯端末４との間でデータの送受信を行うための一台或いは複数台の通信端末４ａが予め有線により接続されている。医用画像読取装置３及び制御装置６の設置台数は任意であり、例えば、医用画像読取装置３がｍ台、制御装置６がｎ台設置されているとする。制御装置６の各々は、ネットワークＮを介してｍ台の医用画像読取装置３のどれに対しても通信が可能であり、どの医用画像読取装置３からでも放射線画像データを取得できる。
【００２４】
また、情報管理装置１、予約装置２、ポータブル撮影装置５についても、病院施設内に複数設置可能である。特に、ポータブル撮影装置５は、病院施設内の各フロアに設けられた専用スペースや、ナースステーション（何れも図示略。）ごとに配置することも可能である。
【００２５】
情報管理装置１は、ＨＩＳ／ＲＩＳや制御装置６から送信された撮影オーダ情報を受信すると当該受信した撮影オーダ情報を格納する。
【００２６】
ここで、撮影オーダ情報には、通常撮影用の撮影オーダ情報か、或いは、ポータブル撮影装置５を用いて病室内のベットサイドで行うポータブル撮影用の撮影オーダ情報かの何れかを示すフラグ（以下、ポータブル指定フラグという。）が予め付加されている。ポータブル指定フラグがオンの場合にはポータブル撮影用であることを意味し、ポータブル指定フラグがオフの場合には放射線撮影室における撮影であることを意味する。
【００２７】
情報管理装置１は、制御装置６から送信されたパネル識別情報が付加された撮影オーダ情報を受信すると、予め格納された撮影オーダ情報を当該受信したパネル識別情報が付加された撮影オーダ情報に更新する。また、情報管理装置１は、医用画像読取装置３から取得した放射線画像データを格納する。
ここで、情報管理装置１の構成と、パネル識別情報が付加された撮影オーダ情報とについては後に詳述する。
【００２８】
予約装置２は、診察受付室や各診察室に各々設けられ、医師などが放射線撮影に係る撮影オーダ情報を入力するための入力端末である。各診察室や診察受付室に設けられたＰＣ端末が予約装置２に相当する。予約装置２は入力された撮影オーダ情報をＨＩＳ／ＲＩＳに送信する。
【００２９】
医用画像読取装置３は、図示しない読取部にセットされた撮影パネルＣから放射線画像データを読み取る。ここで、撮影パネルＣは、輝尽性蛍光体層が形成されたイメージングプレート、或いはこのイメージングプレートを備えたカセッテ（何れも図示略。）である。医用画像読取装置３は、イメージングプレートの輝尽性蛍光体層から蓄積放射線エネルギーに相当する蛍光を発光させ、当該発光させた蛍光を光電変換して放射線画像データを出力する。
【００３０】
また、撮影パネルＣ、すなわち、イメージングプレート及び／又はカセッテの表面には、パネル識別情報として撮影パネルＣに固有のバーコードが貼付されている。なお、撮影パネルＣのパネル識別情報は、撮影パネルＣの識別が可能なものであれば特に限定されない。例えば、パネル識別情報が記録されたＩＣチップを用いるようにしても良い。
【００３１】
携帯端末４は、ポータブル撮影装置５を操作する撮影技師などが撮影時に携帯する携帯型情報端末である。携帯端末４は、患者が収容されている病棟内の所定個所、例えば、ナースステーションなどに、通信端末４ａ、撮影パネルＣ、ポータブル撮影装置５などと共に設置されている。
【００３２】
携帯端末４は、通信端末４ａにセットされ当該通信端末４ａとの間で予め有線により接続されたコントローラ６との間でデータの送受信が可能な状態に至ると、当該制御装置６とデータの送受信を行う。
【００３３】
携帯端末４は、例えば、ＰＤＡ（Ｐｅｒｓｏｎａｌ  Ｄｉｇｉｔａｌ  Ａｓｓｉｓｔａｎｔ）であるが、ノート型ＰＣなどであっても良い。また、通信端末４ａは、例えば、クレードル（Ｃｒａｄｌｅ）である。
ここで、携帯端末４の構成については後に詳述する。
【００３４】
ポータブル撮影装置５は、病室間やベット間を移動可能な放射線撮影装置であり、撮影パネルＣを用いて各病室内のベットサイドで放射線（Ｘ線）撮影を行う。
【００３５】
制御装置６は、予め有線により接続された一台或いは複数台の通信端末４ａを介して携帯端末４との間でデータの送受信を行う。
【００３６】
また、制御装置６は、情報管理装置１から撮影オーダ情報をダウンロードし、当該ダウンロードした撮影オーダ情報を、予め有線により接続された通信端末４ａを介して各携帯端末４に送信する。また、制御装置６は、撮影オーダ情報の入力や編集が可能であり、当該入力・編集後の撮影オーダ情報や、携帯端末４から送信されたパネル識別情報が付加された撮影オーダ情報を情報管理装置１にアップロードする。
【００３７】
また、制御装置６は、医用画像読取装置３から取得した放射線画像データを表示可能であり、これにより撮影技師は撮影結果を容易に確認できる。この場合、医用画像読取装置３と制御装置６とは共に同じ部屋或いは同じフロアーに設けられているのが好ましく、これにより、撮影技師は部屋やフロアーを移動することなく撮影結果が確認できる。
ここで、制御装置６の構成については後に詳述する。
【００３８】
すなわち、撮影技師は、ＨＩＳ／ＲＩＳや制御装置６から入力された撮影オーダ情報が病棟内の携帯端末４に送信されると、当該携帯端末４を携帯し、携帯端末４の表示画面に表示されている撮影オーダ情報を参照して病室のベットサイドで放射線撮影を行う患者と必要な撮影パネルＣのサイズ／枚数を確認する。次いで、この撮影技師は、確認したサイズ／枚数の撮影パネルＣと、携帯端末４と、ポータブル撮影装置５とを放射線撮影を行う患者が収容されている病室の該当するベットサイドまで運ぶ。そして、この撮影技師は、撮影の度に撮影オーダ情報と撮影パネルＣ（すなわち、パネル識別情報）との対応付けを携帯端末４に記録し、全ての撮影が終了した後、携帯端末４を通信端末４ａにセットする。この時、携帯端末４からパネル識別情報が付加された撮影オーダ情報が自動的に情報管理装置１にアップロードされる。
【００３９】
なお、携帯端末４は、撮影技師により入力された患者ＩＤと、撮影オーダ情報に含まれる患者ＩＤとを照合し、当該照合結果を表示部４３の表示画面に表示する、或いは、音声により通知する機能を有するとしても良い。さらに、バーコードを用いて携帯端末４に対する患者ＩＤの入力が行われるようにするのが好ましい。この場合、撮影する患者を確認す作業が撮影技師による目視でなくコンピュータによって行われるので、信頼性の向上が図られる。
【００４０】
次に、図２〜図４を参照し、情報管理装置１、携帯端末４および制御装置６の構成について詳細に説明する。図２に、情報管理装置１の内部構成を示し、図３に、携帯端末４の内部構成を示し、図４に、制御装置６ａの内部構成を示す。
【００４１】
まず、情報管理装置１の構成を説明する。
図２に示すように、情報管理装置１は、制御部１１、入力部１２、表示部１３、Ｉ／Ｆ１４、通信制御部１５、ＲＡＭ１６、記憶部１７、画像処理部１８などを備えて構成され、これら各部はバス１９によって接続されている。
【００４２】
制御部１１は、記憶部１７に格納された各種プログラムを読み出して実行する。制御部１１は、特に、後に詳述する図５のフローチャートに示す情報処理を実行するためのプログラムを記憶部１７から読み出して実行する。
【００４３】
制御部１１は、ＨＩＳ／ＲＩＳや制御装置６から送信された撮影オーダ情報を受信すると、当該撮影オーダ情報を撮影オーダ情報ファイル１７１に記録する。
また、制御部１１は、制御装置６から送信されたパネル識別情報が付加された撮影オーダ情報を受信すると、予め撮影オーダ情報ファイル１７１に記録された撮影オーダ情報を当該受信したパネル識別情報が付加された撮影オーダ情報に更新する。また、制御部１１は、医用画像読取装置３から取得した放射線画像データを画像ＤＢ（Ｄａｔａ  Ｂａｓｅ）１７２に格納する。
【００４４】
入力部１２は、カーソルキー、数字入力キーおよび各種機能キーなどを備えたキーボードと、マウスなどのポインティングデバイスを備えて構成され（何れも図示略）、キーボードに対するキー操作やマウス操作により入力された指示信号を制御部１１に出力する。また、入力部１２は、表示部１３の表示画面に設けられたタッチパネルを備えても良く、このタッチパネルを介して入力された指示信号を制御部１１に出力する。
【００４５】
表示部１３は、図示しないＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などの表示画面を備え、制御部１１による表示制御信号に応じて各種表示用データを表示する。
【００４６】
Ｉ／Ｆ１４は、制御装置６との間でデータを送受信すると共に、ＨＩＳやＲＩＨから撮影オーダ情報を受信するためのインターフェースである。
【００４７】
通信制御部１５は、ＬＡＮボード、ルータあるいはＴＡ（Ｔｅｒｍｉｎａｌ  Ａｄａｐｔｅｒ）などにより構成され（何れも図示略）、ネットワークＮに接続された各装置との間で行われる通信を制御する。
【００４８】
ＲＡＭ（Ｒａｎｄｏｍ  Ａｃｃｅｓｓ  Ｍｅｍｏｒｙ）１６は、制御部１１によって記憶部１７から読み出された各種プログラムを実行可能に展開して格納する。また、ＲＡＭ１６は、制御部１１によるプログラム実行時に生じる各種データを一時的に格納する。
【００４９】
記憶部１７は、例えば、ＨＤＤ（Ｈａｒｄ  Ｄｉｓｃ  Ｄｒｉｖｅ）などの書込／消去自在な不揮発性の半導体メモリにより構成され、各種プログラムおよび各種データを格納する。記憶部１７は、特に、後に詳述する図５のフローチャートに示す通信処理を実行するためのプログラムを格納する。
【００５０】
記憶部１７は、撮影オーダ情報ファイル１７１、画像ＤＢ１７２を備える。撮影オーダ情報ファイル１７１は、ＨＩＳ／ＲＩＳや制御装置６から入力された撮影オーダ情報を記録し、画像ＤＢ１７２は、制御装置６により画像処理された放射線画像データを患者ＩＤ情報に関連付けて記憶する。
【００５１】
なお、記憶部１７は、各種プログラムおよび各種データが予め格納された記録媒体（図示略）を備えるような構成であっても良い。この記録媒体は、記憶部１７に固定的あるいは着脱自在に設けられ、磁気的記録媒体、光学的記録媒体あるいは半導体メモリで構成された不揮発性メモリである。
【００５２】
次に、携帯端末４の構成について説明する。
図３に示すように、携帯端末４は、制御部４１、入力部４２、表示部４３、読取部４４、ＲＡＭ４５、記憶部４６、Ｉ／Ｆ４７などを備えて構成され、これら各部はバス４８によって接続されている。
【００５３】
制御部４１は、記憶部４６に格納された各種プログラムを読み出して実行する。制御部４１は、特に、後に詳述する図６のフローチャートに示す情報処理を実行するためのプログラムを記憶部４６から読み出して実行する。
【００５４】
制御部４１は、放射線撮影用のモードに設定されると、後述する入力部４２を制御してジョグダイアルだけを使用可能とするのが好ましい。これにより、放射線撮影時に、撮影技師が誤ってキー入力してしまうような事態が回避できる。
【００５５】
制御部４１は、自機が通信端末４ａにセットされた際、当該通信端末４ａと予め有線で接続された制御装置６との間でデータの送受信を行う。
【００５６】
制御部４１は、パネル識別情報の登録後、通信端末４ａにセットされると、当該パネル識別情報が付加された撮影オーダ情報を通信端末４ａを介して制御装置６に送信するとともに、当該送信済みのデータを消去する。
【００５７】
制御部４１は、自機が撮影技師により携帯されている際、すなわち、一旦撮影技師に携帯された後、自機が通信端末４ａに再度セットされて制御装置６とデータの送受信が行われたことがない場合、同一のパネル識別情報の登録を拒否する。
【００５８】
入力部４２は、カーソルキー、数字入力キーおよび各種機能キーなどを備えて構成され（何れも図示略。）、こら各種キーに対するキー操作により入力された指示信号を制御部４１に出力する。
【００５９】
入力部４２は、ジョグダイアルを備える。入力部４２は、ジョグダイアルのダイアル操作により表示部４３の表示画面上の各種表示部をスクロール（移動）させるための指示信号を制御部４１に出力し、また、ジョグダイアルの押下により、上記スクロールされた表示部に対する入力（決定）指示を制御部４１に出力する。
【００６０】
なお、入力部４２は、表示部４３の表示画面に設けられたタッチパネルを備えても良く、この場合、タッチパネルを介して入力された指示信号を制御部４１に出力する。
【００６１】
表示部４３は、図示しないＬＣＤなどの表示画面を備え、制御部４１による表示制御信号に応じて各種表示用データを表示する。表示部４３は、特に、通信端末４ａを介して制御装置６から取得した撮影オーダ情報を表示する。
【００６２】
読取部４４は、図示しないバーコード読取器を着脱自在に備え、当該バーコード読取器を用いて読み取ったパネル識別情報などのバーコード情報を制御部４１に出力する。
【００６３】
ＲＡＭ４５は、制御部４１によって記憶部４６から読み出された各種プログラムを実行可能に展開して格納する。また、ＲＡＭ４５は、制御部４１によるプログラム実行時に生じる各種データ、例えば、撮影オーダ情報や読取部４４を介して読み取られたパネル識別情報などを一時的に格納する。
【００６４】
記憶部４６は、ＨＤＤなどの不揮発性の半導体メモリにより構成され、各種プログラムおよび各種データを格納する。記憶部４６は、特に、後に詳述する図６のフローチャートに示す通信処理を実行するためのプログラムを格納する。
【００６５】
記憶部４６は、各種プログラムおよび各種データが予め格納された記録媒体（図示略）を備えるような構成であっても良い。この記録媒体は、記憶部４６に固定的あるいは着脱自在に設けられ、磁気的記録媒体、光学的記録媒体あるいは半導体メモリで構成された不揮発性メモリである。
【００６６】
Ｉ／Ｆ４７は、通信端末４ａを介して制御装置６との間でデータの送受信を行うためのＲＳ―２３２Ｃ、ＩｒＤＡ（Ｉｎｆｒａｒｅｄ  Ｄａｔａ  Ａｓｓｏｃｉａｔｉｏｎ）などに対応したインターフェースである。
【００６７】
ここで、通信端末４ａは、予め一台の制御装置６のみと有線により接続され、図示しないスロットにセットされた携帯端末４との間でデータ送受信を制御するための図示しない通信制御部を備える。
【００６８】
次に、制御装置６の構成について説明する。
図４に示すように、制御装置６は、制御部６１、入力部６２、表示部６３、通信制御部６４、ＲＡＭ６５、記憶部６６、Ｉ／Ｆ６７、画像処理部６８を備えて構成され、これら各部はバス６９によって接続されている。
【００６９】
制御部６１は、記憶部６５に格納された各種プログラムを読み出して実行する。制御部６１は、特に、後に詳述する図７、図８の各フローチャートに示す通信処理、画像処理を実行するためのプログラムを記憶部６５から読み出して実行する。
【００７０】
制御部６１は、医用画像読取装置３から取得した放射線画像データに対し、当該放射線画像データに係る撮影オーダ情報に記された撮影部位などの撮影条件に応じた処理パターン（周波数処理、階調処理、回転処理、拡大・縮小処理などを含む。）を選択して当該処理パターンに基づく画像処理（圧縮・伸張処理を含む。）を画像処理部６８に行わせる。
【００７１】
制御部６１は、画像処理部６８により画像処理された放射線画像データを撮影オーダ情報に関連付けて画像ＤＢ１７２に格納する。ここで、上記撮影条件に応じた処理パターン情報は記憶部６５に予め格納されている。
【００７２】
入力部６２は、カーソルキー、数字入力キーおよび各種機能キーなどを備えたキーボードと、マウスなどのポインティングデバイスを備えて構成され（何れも図示略。）、キーボードに対するキー操作やマウス操作により入力された指示信号を制御部６１に出力する。また、入力部６２は、表示部６３の表示画面に設けられたタッチパネルを備えても良く、このタッチパネルを介して入力された指示信号を制御部６１に出力する。
【００７３】
表示部６３は、図示しないＬＣＤやＣＲＴなどの表示画面を備え、制御部６１による表示制御信号に応じて各種表示用データを表示する。
【００７４】
ＲＡＭ６４は、制御部６１によって記憶部６５から読み出された各種プログラムを実行可能に展開して格納する。また、ＲＡＭ６４は、制御部６１によるプログラム実行時に生じる各種データを一時的に格納する。
【００７５】
記憶部６５は、ＨＤＤなどの不揮発性の半導体メモリにより構成され、各種プログラムおよび各種データを格納する。記憶部６５は、特に、後に詳述する図７、図８の各フローチャートに示す通信処理、画像処理を実行するためのプログラムを格納する。そして、記憶部６５は、撮影条件に応じた画像処理を行うための処理パターンを複数格納する。
【００７６】
記憶部６５は、各種プログラムおよび各種データが予め格納された記録媒体（図示略。）を備えるような構成であっても良い。この記録媒体は、記憶部６５に固定的あるいは着脱自在に設けられ、磁気的記録媒体、光学的記録媒体あるいは半導体メモリで構成された不揮発性メモリである。
【００７７】
通信制御部６６は、ＬＡＮボード、ルータあるいはＴＡなどにより構成され（何れも図示略）、ネットワークＮに接続された各装置との間で行われる通信を制御する。
【００７８】
Ｉ／Ｆ６７は、通信端末４ａを介して携帯端末４との間でデータの送受信を行うためのＲＳ―２３２Ｃ、ＩｒＤＡなどに対応したインターフェースである。
【００７９】
画像処理部６８は、制御部６１による制御に基づいて、医用画像読取装置３から取得した放射線画像データに対し、当該放射線画像データに係る撮影オーダ情報に記された撮影条件に応じた上記処理パターンを選択して当該処理パターンに基づく画像処理（圧縮・伸張処理を含む。）を行う。
【００８０】
次に、図５〜図８を参照して情報管理装置１、携帯端末４及び制御装置６の動作を説明する。
図５は、情報管理装置１によって行われる情報処理を説明するフローチャートであり、図６は、携帯端末４によって行われる通信処理を説明するフローチャートであり、図７、図８は、制御装置６によって行われる通信処理、画像処理をそれぞれ説明するフローチャートである。
【００８１】
まず、図５を参照し、情報管理装置１の情報処理に係る動作を説明する。
制御部１１は、ＨＩＳ／ＲＩＳや制御装置６から新規の撮影オーダ情報を受信すると（ステップＳ１０）、当該新規撮影オーダ情報を撮影オーダ情報ファイル１７１に記録する（ステップＳ１１）。
【００８２】
制御部１１は、制御装置６から撮影オーダ情報を請求する旨の信号を受信すると、撮影オーダ情報ファイル１７１に記憶された撮影オーダ情報のうち、未撮影の撮影オーダ情報を選択して、当該請求元の制御装置６に送信する（ステップＳ１３）。ここで、未撮影の撮影オーダ情報とは、パネル識別情報が付加されていない撮影オーダ情報を意味する。
なお、複数の制御装置６が起動されており、これらが全て撮影オーダ情報を請求している場合には、当該全ての制御装置６に対して未撮影の撮影オーダ情報を送信する。この撮影オーダ情報の請求は、図１０（ａ）に示す表示個所Ｂ１又は図１０（ｂ）に示す表示個所Ｂ３が選択入力されることにより行われる。
【００８３】
ステップＳ１３の際、制御部１１は、特に、制御装置６からポータブル撮影用の撮影オーダ情報が請求された場合、撮影オーダ情報ファイル１７１に記憶された撮影オーダ情報のなかから、撮影オーダ情報に予め付加されたポータブル指定フラグを参照して未撮影且つポータブル撮影用の撮影オーダ情報を選択して、当該請求元の制御装置６に送信する。
【００８４】
制御部１１は、制御装置６からパネル識別情報が付加された撮影オーダ情報を受信すると（ステップＳ１４）、該当する撮影オーダ情報を当該受信したパネル識別情報が付加された撮影オーダ情報に更新する（ステップＳ１５）。また、制御部１１は、更新用の撮影オーダ情報が制御装置６から送信された場合、該当する撮影オーダ情報を当該更新用の撮影オーダ情報に更新する。
【００８５】
次に、図６を参照し、携帯端末４の通信処理に係る動作を説明する。
制御部４１は、携帯端末４が通信端末４ａにセットされている際に制御装置６から撮影オーダ情報を受信すると（ステップＳ２０）、当該受信した撮影オーダ情報を表示部４３の表示画面に表示する（ステップＳ２１）。
【００８６】
ステップＳ２１の後、自機が撮影技師により携帯され、撮影技師による指示が入力部４２を介して入力されると、制御部４１は、当該指示入力に応じて動作する。例えば、撮影技師が表示部４３に表示された撮影オーダ情報の患者情報（患者氏名、患者ＩＤ）と、実際に撮影しようとする患者の患者情報とが一致することを確認した後、表示個所Ａ４に表示される各撮影条件ごとに撮影する撮影パネルＣのパネル識別情報の読み取りを行う旨の指示入力を行うと、制御部４１は、各撮影パネルのパネル識別情報（バーコード情報）を、読取部４４のバーコード読取器を介して当該各撮影パネルから直接読み取る（ステップＳ２２、ステップＳ２３；Ｙｅｓ）。例えば図９（ｂ）の表示個所Ａ５には、撮影条件として撮影部位「胸部  他  斜位」とともに、ステップＳ２３の段階で読み取られた当該撮影部位を撮影する撮影パネルのパネル識別情報（バーコード情報）「０４０００１０８０２２０１６」が表示されている。以上の操作が撮影枚数に応じて繰り返され、撮影条件と撮影パネルとの一対一対応付けが行われる。
【００８７】
この場合、撮影技師は、撮影に使用する全撮影パネルのパネル識別情報の読み取りを一度にまとめて行うのではなく、各撮影ごとに撮影パネルのパネル識別情報の読み取りをその都度行うのが好ましい。これにより、撮影パネルが、当該撮影パネルに対応付けられた撮影条件と異なる撮影用件の撮影に使用されるという事態が回避できる。
【００８８】
制御部４１は、撮影に使用する全パネル識別情報の読み取り、すなわち、撮影パネルの登録と撮影が終了した後（ステップＳ２３；Ｎｏ）、自機が通信端末４ａにセットされ制御装置６との間でデータの送受信が可能になると、当該撮影が終了した撮影オーダ情報に当該パネル識別情報を付加して制御装置６に送信するとともに、送信済みデータを消去する（ステップＳ２４）。
【００８９】
ここで、図９（ａ）、図９（ｂ）に、上記ステップＳ２１に係る表示部４３の表示画面に表示される上記撮影オーダ情報の表示例を示す。図９（ａ）は、患者氏名と患者ＩＤの表示例であり、図９（ｂ）は、患者ごと指定された撮影条件の表示例である。
【００９０】
図９（ａ）に示す画面には、表示個所Ａ１に患者氏名と患者ＩＤとがリスト形式で表示され、特に、表示個所Ａ２に患者氏名「山田一郎」とその患者ＩＤ「０００１」、及び患者氏名「桜太郎」とその患者ＩＤ「１２３４５」の２名分の患者に対する患者氏名と患者ＩＤとがリスト形式で表示されている。撮影技師は、入力部４２のジョグダイアルをダイアル操作してこれら２名の患者のうち何れか一名の患者の患者氏名及び患者ＩＤを選択し、さらに当該選択した状態でジョグダイアルを押下することにより、当該選択した患者に係る撮影条件を表示する。
例えば、図９（ｂ）に示す画面は、撮影技師が、図９（ａ）に示す画面の表示個所Ａ２に対し、ジョグダイアルのダイアル操作により患者氏名「山田一郎」とその患者ＩＤ「０００１」を選択し、さらに当該選択した状態でジョグダイアルを押下することにより患者氏名「山田一郎」とその患者ＩＤ「０００１」の患者に係る撮影条件を表示部４３の表示画面に表示したものである。
【００９１】
図９（ｂ）に示す画面には、表示個所Ａ３に患者氏名「山田一郎」とその患者ＩＤ「０００１」などが表示され、表示個所Ａ４に撮影条件「胸部  他  斜位」及びパネル識別情報「０４０００１０８０２２０１６」（表示個所Ａ５参照。）や撮影条件「胸部  他  肺尖」（表示個所Ａ６参照。）などがリスト形式で表示されている。表示個所Ａ４は、入力部４２のジョグダイアルのダイアル操作によってスクロール可能であり、これにより表示個所Ａ４に一度に表示しきれない撮影条件の表示が可能となる。
【００９２】
次に、制御装置６の動作を説明する。
まず、図７を参照して制御装置６の通信処理に係る動作について説明する。
【００９３】
制御部６１は、情報管理装置１から撮影オーダ情報をダウンロード或いは新規入力する際、撮影技師による指示入力に応じて図１０（ａ）または図１０（ｂ）に示す画面を表示部６３の表示画面に表示する。この場合、未撮影であり且つ通常撮影用の全撮影オーダ情報を取得する旨の指示が入力部６２を介して入力された際には図１０（ａ）に示す画面が表示部６３の表示画面に表示され、未撮影であり且つポータブル撮影用の全撮影オーダ情報を取得する旨の指示が入力部６２を介して入力された際には図１０（ｂ）に示す画面が表示部６３の表示画面に表示される。
【００９４】
ここで、図１０（ａ）、図１０（ｂ）に示す何れの画面においても、表示個所Ｂ２に表示された入力ボタン「技師選択」が入力部６２のマウス或いはタッチパネルを介してキー入力されると、撮影技師のリスト情報が情報管理装置１から送信され、撮影を行わせようとする撮影技師を当該リストから選択可能となる。
【００９５】
制御部６１は、図１０（ａ）に示す画面において、表示個所Ｂ１に表示された入力ボタン「運用形態（通常）」が入力部６２のマウス或いはタッチパネルを介してキー入力されると、未撮影であるが通常撮影用の全撮影オーダ情報を情報管理装置１からダウンロードし、図１０（ｂ）に示す画面において、表示個所Ｂ２に表示された入力ボタン「運用形態（ポータブル）」が入力部６２のマウス或いはタッチパネルを介してキー入力されると、未撮影であり且つポータブル撮影用の全撮影オーダ情報を情報管理装置１からダウンロードする（ステップＳ３０）。
【００９６】
ポータブル撮影の場合、未撮影であり且つポータブル撮影用の撮影オーダ情報が情報管理装置１に登録されていない場合、撮影技師は、ポータブル撮影用の新規撮影オーダ情報を入力するか、或いは、表示個所Ｂ１に表示された入力ボタン「運用形態（通常）」を入力部６２のマウス或いはタッチパネルを介してキー入力し、未撮影であり且つ通常撮影用の全撮影オーダ情報を情報管理装置１からダウンロードしてこれら通常撮影用の撮影オーダ情報のうちの何れかを必要に応じてポータブル撮影用に変更させる。すなわち、通常撮影用の撮影オーダ情報をダウンロードした場合、撮影技師は、当該ダウンロードした通常撮影用の撮影オーダ情報のうちポータブル撮影用に設定変更する撮影オーダ情報を必要に応じて選択し、この選択した撮影オーダ情報のポータブル指定フラグをオンに設定し、運用形態（ポータブル）の選択画面に戻り（表示個所Ｂ２参照。）、再度ポータブルモードに入る。
【００９７】
制御部６１は、ポータブル撮影用のオーダ情報を自機と接続する通信端末４ａを介して当該通信端末４ａにセットされた携帯端末４に送信する（ステップＳ３１）。制御部６１は、ポータブル撮影用の撮影オーダ情報のうち新規入力されたものや通常撮影用からポータブル撮影用に変更されたものについては情報管理装置１にもアップロードする。
【００９８】
制御部６１は、自機と接続する通信端末４ａにセットされた携帯端末４から、パネル識別情報が付加された撮影オーダ情報、すなわち、撮影済み撮影オーダ情報を受信すると（ステップＳ３２）、当該受信したパネル識別情報が付加された撮影オーダ情報を情報管理装置１にアップロードする（ステップＳ３３）。
【００９９】
ここで、図１１〜図１３を参照してポータブル撮影用の撮影オーダ情報を新規入力する際の入力操作について説明する。以下、図１１〜図１３と、後述する図１４〜図１７に示す表示部６３の表示画面は制御部６１によって表示制御されている。
【０１００】
まず、新規撮影オーダ情報の登録指示が入力されると、例えば、図１１に示す画面が表示部６３の表示画面に表示され、新規撮影オーダ情報に係る患者氏名や患者ＩＤなどの患者情報が入力部６２を介して入力される。
【０１０１】
ここで、表示個所Ｂ４には、入力キーが表示され、当該表示された入力キーに対するキー入力が入力部６２のマウスやタッチパネルを介して行われる。また、入力部６２が具備するキーボードを介してキー入力を行うことも可能である。表示個所Ｂ５には、患者ＩＤ、氏名（ローマ字、カナ、漢字）の各入力部が表示されている。表示個所Ｂ６には、図１０（ａ）及び図１０（ｂ）の表示個所Ｂ２に示す入力ボタン「技師選択」が入力部６２のマウスやタッチパネルを介してキー入力された際に、当該入力された技師名が表示される。
【０１０２】
表示個所Ｂ８が入力部６２のマウスやタッチパネルを介してキー入力されると、例えば、図１２に示す画面が表示部６３の表撮画面に表示され、表示個所Ｂ５に表示された患者氏名及び患者ＩＤに対する撮影条件の設定が行われる。表示個所Ｂ９には、撮影条件の大きな分類項目「頭部、頚部、・・、ＴＥＳＴ」の選択ボタンが表示され、当該撮影条件の大きな分類項目のうち何れか一つが入力部６２のマウスやタッチパネルを介してキー入力されると、表示個所Ｂ１０及びＢ１１に、当該入力された分類項目（例えば、胸部。）に対するさらに詳細な撮影条件の分類項目「胸部立位（Ａ→Ｐ、・・、側面）、・・、経過観察（Ｐ→Ａ、小児ＰＡ）」が表示される。表示個所Ｂ１０の分類項目のうち、例えば、「胸部  他  斜位」及び「胸部  他  肺尖」がキー入力されると、表示個所Ｂ１２に当該キー入力された撮影条件がリスト表示される。
【０１０３】
ここで、表示個所Ｂ１１に示す網掛け表示されている撮影条件はポータブル撮影不可能な撮影条件である。これにより、現在入力中の撮影オーダ情報が、ポータブル撮影用なのか、或いは通常撮影用なのかが一目瞭然となる。このため、撮影技師は、ポータブル撮影用の撮影オーダ情報を入力する際に誤ってポータブル撮影不可能な撮影条件を入力するといった事態が回避できる。
【０１０４】
なお、本実施の形態ではポータブル撮影不可能な撮影条件の項目を網掛け表示するとして説明したが、これに限らない。例えば、ポータブル撮影可能な撮影条件の項目とポータブル撮影不可能な撮影条件の項目とを共に同一の表示形式で表示し、ポータブル撮影不可能な撮影条件の項目が誤ってキー入力された際には、入力できない旨の警告を音声や画像により行うようにしても良い。
【０１０５】
表示個所Ｂ１４が入力部６２のマウスやタッチパネルを介してキー入力されると、例えば、図１３（ａ）に示す画面が表示部６３の表示画面に表示され、当該撮影条件が入力された患者氏名及び患者ＩＤなどがリスト表示される。表示個所Ｂ１５には、登録された患者、すなわち、患者ＩＤ「０００１」、患者氏名「山田一郎」の患者と、患者ＩＤ「１２３４５」、患者氏名「桜太郎」の患者の２名分がリスト表示されている。
【０１０６】
ここで、表示個所Ｂ１５のようにリスト表示された各患者の撮影オーダ情報が制御装置６から携帯端末４に送信された場合、例えば、図１３（ｂ）に示すように、表示個所Ｂ１６にはこの旨を示す記号「→」（右向きの矢印）が表示される。また、携帯端末４に送信された撮影オーダ情報がパネル識別情報を伴って（すなわち、撮影済み撮影オーダ情報として）携帯端末４から送信された場合、図１３（ｃ）に示すように、表示個所Ｂ１６にはこの旨を示す記号「←」（左向きの矢印）が表示される。なお、記号「→」や「←」に限らず、他の記号が表示されるようにしても良い。
【０１０７】
また、図１１、図１２の表示個所Ｂ７及びＢ１３に表示されている入力ボタン「ＣＡＮＣＥＬ」が入力部６２のマウスやタッチパネルを介してキー入力されると、当該入力中の新規撮影オーダ情報が制御部６１により取り消される。さらに、新規撮影オーダ情報の入力が完了した後でも、図１３の表示個所Ｂ１７に表示されている入力ボタン「削除」が入力部６２のマウスやタッチパネルを介してキー入力されると、当該入力完了した撮影オーダ情報が制御部６１により取り消される。
【０１０８】
さらに、図１４、図１５を参照し、通常撮影用の撮影オーダ情報を新規入力する際の入力操作とポータブル撮影用に変更する際の入力操作について説明する。
【０１０９】
まず、新規撮影オーダ情報の登録指示が入力されると、ポータブル撮影用の撮影オーダ情報を新規入力する際の画面（図１１を参照。）と同一の画面が表示部６３の表示画面に表示され、新規撮影オーダ情報に係る患者氏名や患者ＩＤなどの患者情報が入力部６２を介して入力される。
【０１１０】
次に、通常撮影用の撮影オーダ情報を新規入力するための画面として、ポータブル撮影用の撮影オーダ情報を新規入力するための画面（図１２を参照。）と略同一の画面が表示部６３の表示画面に表示される。この画面を図１４に示す。ここで、通常撮影の場合には撮影不可能な撮影条件がないので、図１４に示す画面の表示個所Ｂ１８には図１２に示す画面に表示されているような網掛け表示がなされていない。
【０１１１】
表示個所Ｂ２０が入力部６２のマウスやタッチパネルを介してキー入力されると、例えば、図１５に示す画面が表示部６３の表示画面に表示され、当該撮影条件が入力された患者氏名及び患者ＩＤなどがリスト表示される。
【０１１２】
表示個所Ｂ２１には、患者ごとにポータブル指定のＯＮ／ＯＦＦが表示されている。「ＯＮ」と表示されたものはポータブル撮影用に変更された撮影オーダ情報（すなわち、ポータブル指定フラグがオン。）であり、「ＯＦＦ」と表示されたものは通常撮影用の撮影オーダ情報（すなわち、ポータブル指定フラグがオフ。）である。そして、表示個所Ｂ２２に表示されている入力キー「ポータブル指定」が入力部６２のマウスやタッチパネルなどを介してキー入力されると、撮影オーダ情報のポータブル指定フラグのオン（ＯＮ）／オフ（ＯＦＦ）がその都度切り替わる。このポータブル指定フラグデータは撮影オーダ情報に含まれる。
【０１１３】
また、表示個所Ｂ２３に表示されている入力ボタン「抽出条件」が入力部６２のマウスやタッチパネルなどを介してキー入力されると、入力された抽出条件に合致した撮影オーダ情報のみが抽出されたり或いはソートされたりする。
【０１１４】
また、図１４の表示個所Ｂ１９に表示されている入力ボタン「ＣＡＮＣＥＬ」が入力部６２のマウスやタッチパネルを介してキー入力されると、当該入力中の新規撮影オーダ情報が制御部６１により取り消される。さらに、新規撮影オーダ情報の入力が完了した後でも、図１５の表示個所Ｂ１７に表示されている入力ボタン「削除」が入力部６２のマウスやタッチパネルを介してキー入力されると、当該入力完了した撮影オーダ情報が制御部６１により取り消される。
【０１１５】
また、制御装置６では、新規入力する撮影オーダ情報がポータブル撮影用／通常撮影用の何れであっても、一患者に対して新規撮影オーダ情報が入力完了するごとに、例えば、図１６に示す画面が表示部６３の表示画面に表示される。表示個所Ｂ２５に表示されている入力ボタン「次の撮影オーダ入力ＯＫ」が入力部６２のマウスやタッチパネルなどを介してキー入力されると、制御部６１は、新たな撮影オーダ情報の入力を許可する。また、表示個所Ｂ２６に表示されている入力ボタン「終了」が入力部６２のマウスやタッチパネルなどを介してキー入力されると、制御部６１は、上記したような一連の撮影オーダ情報のダウンロード及び新規入力処理を終了する。
なお、１患者ごとでなく、図１５に示す表示個所Ｂ２２の隣の「新規／検索」キーをきー入力することにより、図１１に示す画面に戻り、追加登録を繰り返すように構成しても良い。この場合、図１６に示す画面は表示不要となる。
【０１１６】
次に、図８を参照して制御装置６の画像処理に係る動作について説明する。
制御部６１は、自機と携帯端末４との間で送受信した撮影オーダ情報に係る放射線画像データを医用画像読取装置３から取得する（ステップＳ４０）。この場合、医用画像読取装置３は一般にｍ台配設されており、制御部６１は、これらｍ台の医用画像読取装置３全てに対し、当該放射線画像データの取得要求を行う。
【０１１７】
この際、医用画像読取装置３では、制御装置６から送信された各パネル識別情報に合致するパネル識別情報に係る放射線画像データがメモリ（図示略。）に格納されているか否かが確認され、パネル識別情報が互いに合致する放射線画像データがメモリに格納されている場合には、当該放射線画像データが請求元の制御装置６に送信される。
【０１１８】
制御部６１は、画像処理部６８による画像処理の後、ステップＳ４０の段階で取得した放射線画像データを撮影オーダ情報とともに表示部６３の表示画面に表示する（ステップＳ４１）。
【０１１９】
制御部６１は、ステップＳ４１の後、入力部６２を介して入力された画像修正指示に応じて放射線画像データに対する画像修正を行い（ステップＳ４２）、修正後の放射線画像データを撮影オーダ情報と共に情報管理装置１にアップロードする（ステップＳ４３）。
【０１２０】
ここで、図１７を参照して、制御装置６の表示部６３の表示画面に表示される放射線画像について説明する（上記した図８に示すステップＳ４１及びＳ４２の説明参照。）。ここで説明する放射線画像はポータブル撮影で撮影されたものである。ここで、図１７に示す表示部６３の表示画面は制御部６１によって表示制御されている。
【０１２１】
まず、ポータブル撮影された放射線画像データが医用画像読取装置３から取得されると、例えば、図１７に示す画面が表示部６３の表示画面に表示される。すなわち、医用画像読取装置３から取得されたポータブル撮影された放射線画像データは携帯端末４が一台ごとに処理したものであり、一台の携帯端末４が処理した複数患者の各複数撮影条件に係る放射線画像が並列して表示される。例えば、表示個所Ｂ２７〜Ｂ２９には、患者氏名「ヤマダ  イチロウ」、患者ＩＤ「０００１」の患者に係る２枚の放射線画像と、患者氏名「サクラ  タロウ」、患者ＩＤ「１２３４５」の患者に係る２枚の放射線画像が並列して表示されている。なお、一画面で表示しきれない放射線画像は、画面がスクロールされた際に表示される。
【０１２２】
ここで、表示個所Ｂ２７には患者ＩＤと患者氏名が表示され、表示個所Ｂ２８には放射線画像が表示され、表示個所Ｂ２９には撮影条件とその識別番号及び撮影に使用されたパネル識別情報が表示されている。
【０１２３】
以上説明したように、医用画像撮影システム１００は、撮影オーダ情報や放射線画像データを管理する情報管理装置１と、放射線画像データを撮影パネルＣから読み取る医用画像読取装置３と、撮影オーダ情報と各撮影条件に対応した撮影パネルのパネル識別情報とを対応付ける携帯端末４と、病室内のベットサイドで放射線（Ｘ銭）撮影が行えるポータブル撮影装置５と、情報管理装置１から撮影オーダ情報を取得したり新規撮影オーダ情報を入力したりするとともに、医用画像読取装置３から放射線画像データを取得して表示する制御装置６などを備える。
さらに、撮影オーダ情報を取得する際、制御装置６は、通常撮影用の撮影オーダ情報をダウンロード或いは新規入力するための画面（図１０（ａ）に示す画面。）と、ポータブル撮影用の撮影オーダ情報をダウンロード或いは新規入力するための画面（図１０（ｂ）に示す画面。）とを表示部６３の表示画面に表示する。
また、制御装置６は、撮影オーダ情報の新規入力の場合に患者情報（患者氏名や患者ＩＤ）及び撮影条件などを入力するための画面は通常撮影の場合とポータブル撮影の場合とで略同じ画面（図１１、図１２、図１４の各画面）を表示部６３の表示画面に表示する。特に、ポータブル撮影では行えない撮影条件に対しては通常撮影の場合とは異なる表示方法（例えば、網掛け表示。）が用いられている。
また、制御装置６は、通常撮影とポータブル撮影の何れの場合にも、患者一人に対し撮影オーダ情報の新規入力が終了するたびに、この旨を撮影技師に確認させるための共通の画面を表示部６３の表示画面に表示する。
【０１２４】
従って、撮影オーダ情報を入力する際、通常撮影とポータブル撮影の何れの場合であっても、略同一の入力操作により患者情報や撮影条件の入力が可能となる。このため、同一の撮影技師により通常撮影とポータブル撮影とがまとめて入力されるような場合や患者の数が多く撮影オーダ情報の入力が非常に複雑な場合であっても、現在どの内容を入力しているのかが撮影技師にとってわかり易く、入力ミスなど不測の事態が十分回避可能となる。
【０１２５】
なお、本実施の形態における記述は、本発明に係る医用画像撮影システム及び医用画像管理方法の一例を示すものであり、これに限定されるものではない。本実施の形態における医用画像撮影システム１００の細部構成および詳細動作に関しては、本発明の趣旨を逸脱しない範囲で適宜変更可能である。
【０１２６】
例えば、本実施の形態においては、通信端末４ａすなわち携帯端末４は、予め接続された特定の制御装置６との間でデータの送受信が行えるものとして説明したが、これに限らず、通信端末４ａすなわち携帯端末４は、医用画像撮影システム１００に設けられた何れの制御装置６に対してもデータの送受信が行えるような構成であっても良い。
【０１２７】
【発明の効果】
本発明によれば、撮影オーダ情報を入力する際、放射線撮影室に固定的に設置された撮影室用撮影装置を用いて行う通常撮影とポータブル撮影装置を用いて行うポータブル撮影との何れの場合にも、略同一の入力操作により撮影オーダ情報の入力が可能となる。しかも、同一の撮影技師により通常撮影とポータブル撮影とがまとめて入力されるような場合や患者の数が多く撮影オーダ情報の入力が非常に複雑な場合であっても、全体ワーフローの中で現在どの内容を入力しているのかが撮影技師にとってわかり易く、通常撮影及びポータブル撮影ともに設定入力ミスなど不測の事態が十分回避可能となる。
【図面の簡単な説明】
【図１】本発明を適用した医用画像撮影システムの概略構成を示すブロック図である。
【図２】図１に示す情報管理装置の内部構成を示すブロック図である。
【図３】図１に示す携帯端末の内部構成を示すブロック図である。
【図４】図１に示す制御装置の内部構成を示すブロック図である。
【図５】図１に示す情報管理装置によって行われる情報処理を説明するフローチャートである。
【図６】図１に示す携帯端末によって行われる通信処理を説明するフローチャートである。
【図７】図１に示す制御装置によって行われる通信処理を説明するフローチャートである。
【図８】図１に示す制御装置によって行われる画像処理を説明するフローチャートである。
【図９】（ａ）は、撮影オーダ情報のうち患者氏名・ＩＤが図１に示す携帯端末の表示画面に表示されたものの一例であり、（ｂ）は、撮影オーダ情報のうち患者ごとの撮影条件・パネル識別情報が図１に示す携帯端末の表示画面に表示されたものの一例である。
【図１０】（ａ）は、図１に示す制御装置の表示画面に未撮影且つ通常撮影用の撮影オーダ情報の表示を指定するための画面が表示されたものの一例であり、（ｂ）は、図１に示す制御装置の表示画面に未撮影且つポータブル撮影用の撮影オーダ情報の表示を指定するための画面が表示されたものの一例である。
【図１１】図１に示す制御装置の表示画面に表示されたポータブル撮影用の患者情報を入力するための画面の一例である。
【図１２】図１に示す制御装置の表示画面に表示されたポータブル撮影用の撮影条件を入力するための画面の一例である。
【図１３】図１に示す制御装置の表示画面に表示されたポータブル撮影用の撮影オーダ情報のリスト表示の一例である。
【図１４】図１に示す制御装置の表示画面に表示された通常撮影用の撮影条件を入力するための画面の一例である。
【図１５】図１に示す制御装置の表示画面に表示された通常撮影用の撮影オーダ情報のリスト表示の一例である。
【図１６】図１に示す制御装置の表示画面に表示された一患者に対する撮影オーダ情報の入力完了を報知するための画面の一例である。
【図１７】図１に示す制御装置の表示画面に表示された放射線画像の一例である。
【符号の説明】
１  情報管理装置
２  予約装置
３  医用画像読取装置
４  携帯端末
４ａ  通信端末
５  ポータブル撮影装置
６  制御装置
１１  制御部
１２  入力部
１３  表示部
１４  Ｉ／Ｆ
１５  通信制御部
１６  ＲＡＭ
１７  記憶部
１９  バス
４１  制御部
４２  入力部
４３  表示部
４４  読取部
４５  ＲＡＭ
４６  記憶部
４７  Ｉ／Ｆ
４８  バス
６１  制御部
６２  入力部
６３  表示部
６４  ＲＡＭ
６５  記憶部
６６  通信制御部
６７  Ｉ／Ｆ
６８  バス
１００  医用画像撮影システム
１７１  撮影オーダ情報ファイル
１７２  画像ＤＢ
【図１】
2004298267.tif 000003
【図２】
2004298267.tif 000004
【図３】
2004298267.tif 000005
【図４】
2004298267.tif 000006
【図５】
2004298267.tif 000007
【図６】
2004298267.tif 000008
【図７】
2004298267.tif 000009
【図８】
2004298267.tif 000010
【図９】
2004298267.tif 000011
【図１０】
2004298267.tif 000012
【図１１】
2004298267.tif 000013
【図１２】
2004298267.tif 000014
【図１３】
2004298267.tif 000015
【図１４】
2004298267.tif 000016
【図１５】
2004298267.tif 000017
【図１６】
2004298267.tif 000018
【図１７】
2004298267.tif 000019